(57)【要約】  開口部を含む対物アセンブリを有する顕微鏡で使用するためのアセンブリである。アセンブリは、レンズ及びビームスプリッターを含む。レンズ及びビームスプリッターは、２つの光路のそれぞれにそれぞれの開口部像を形成するように構成される。アセンブリは、各光路上のストップ構造をさらに含む。各ストップ構造は、各開口像の平面上に配置され、射出瞳を提供するために各開口像の一部を遮断し、顕微鏡を通して見た物体の立体像が各射出瞳を通して見える物体の像の組み合わせによって生成可能にしている。アセンブリは、２つの画像センサー及び１つのデジタル画像プロセッサーをさらに含む。各画像センサーは、それぞれの射出瞳を通して見える像をキャプチャし、デジタル画像を出力するように構成される。デジタル画像プロセッサーは、各画像センサーによって出力された各デジタル画像に補正を適用するように構成され、補正は、各ストップ構造の位置に基づく。
2020537176.tif 000002
【特許請求の範囲】
【請求項１】
開口部を含む対物アセンブリを有する顕微鏡で使用するためのアセンブリであって、前記アセンブリはレンズ（５０４）及びビームスプリッター（５０５）を含み、
前記レンズ（５０４）及び前記ビームスプリッター（５０５）は、２つの光路のそれぞれにそれぞれの開口部像（５１２ａ，５１２ｂ）を形成するように構成され、
前記アセンブリは、各光路上に、ストップ構造（５０７ａ，５０７ｂ）を構成するようにさらに構成され、
各ストップ構造（５０７ａ，５０７ｂ）は、前記それぞれの開口部像（５１２ａ，５１２ｂ）の平面上に配置され、射出瞳（５１３ａ５１３ｂ）を提供するために前記それぞれの開口部像（５１２ａ，５１２ｂ）の一部を遮断するようにし、前記顕微鏡を通して見た物体の立体像が、各射出瞳（５１３ａ，５１３ｂ）を通して見える前記物体の像の組み合わせによって生成可能であるようにし、
前記アセンブリは、
２つの画像センサーであって、各画像センサーは、それぞれの射出瞳を通して見える像をキャプチャし、デジタル画像を出力するように構成されたものと、
各画像センサーによって出力されたそれぞれのデジタル画像に補正を適用するように構成されたデジタル画像プロセッサーであって、前記補正はそれぞれのストップ構造の位置に基づくものと
をさらに含むアセンブリ。
【請求項２】
前記補正は、それぞれのストップ構造の位置に基づいてそれぞれの像の明るさを調整することを含む請求項１のアセンブリ。
【請求項３】
前記補正は、前記顕微鏡及び／又はアセンブリの光学構造によってもたらされる歪みを補正するためにそれぞれの像の空間変換を実行することを含み、前記空間変換は、それぞれのストップ構造の位置に依存する少なくとも１つのパラメータを有する請求項１又は２に記載のアセンブリ。
【請求項４】
前記ストップ構造は、複数のストップ構造の組のうちの１つの組であり、前記ストップ構造の組は、前記アセンブリ内で入れ替え可能であり、
前記デジタル画像プロセッサーは、それぞれのストップ構造の位置と、どの組のストップ構造が存在するかに基づいて前記補正を適用するように構成された請求項１から３のいずれか一項に記載のアセンブリ。
【請求項５】
各ストップ構造が円形の開口部を含む請求項１から４の一項に記載のアセンブリ。
【請求項６】
各ストップ構造は、それぞれの開口部像の片側を遮るように構成されたカーテンを含む請求項１から５のいずれか一項に記載のアセンブリ。
【請求項７】
各カーテンは、前記開口部を遮る直線状の端部を有する請求項６に記載のアセンブリ。
【請求項８】
各ストップ構造は、前記開口部像が遮られていない位置から、前記射出瞳５１３ａ、５１３ｂが前記開口部像の非重複部分である位置まで移動可能である請求項１から７のいずれか一項に記載されたアセンブリ。
【請求項９】
各ストップ構造は、連続的に移動可能である請求項８に記載のアセンブリ。
【請求項１０】
各ストップ構造は、前記像を中断することなく画像センサーによってキャプチャされたモノ像とステレオ像との間の遷移を提供するように移動可能である請求項８又は９に記載のアセンブリ。
【請求項１１】
各画像センサーがＣＣＤである請求項８又は９のいずれか一項に記載のアセンブリ。
【請求項１２】
補正されたデジタル画像を立体像としてユーザーに提示するように構成された立体視ディスプレイをさらに含む請求項１から１１のいずれか一項に記載のアセンブリ。
【請求項１３】
立体視ディスプレイは、２つのプロジェクタと、１つのミラーとを含み、各プロジェクタは、前記ミラー上のそれぞれの画像センサーによってキャプチャされた補正されたデジタル画像の焦点を合わせた像を提供するように構成され、前記ミラーは、前記プロジェクタの射出瞳を観察者によって見るための観察平面に中継するように構成された請求項１２に記載のアセンブリ。
【請求項１４】
実体顕微鏡であって、
開口部（５０２）を有する対物レンズ（５０１）と、
請求項１から１３のいずれか一項に記載のアセンブリと
を含む実体顕微鏡。
【請求項１５】
顕微鏡を改造する方法であって、
前記顕微鏡の接眼レンズを取り外し、
レンズ（５０４）が前記顕微鏡の光路内に配置されるように、請求項１から１３のいずれか一項に記載のアセンブリを配置すること
とを含む方法。
【発明の詳細な説明】
【技術分野】
【０００１】
本発明は、実体顕微鏡に関する。特に、本発明は、顕微鏡のためのアセンブリ、そのアセンブリを組み込んだ実体顕微鏡、及びそのアセンブリを用いて顕微鏡を改造する方法に関する。
【背景技術】
【０００２】
背景技術及び本開示の記載を補助するために、いくつかの用語を定義する。
【０００３】
「モノ」  （像について）観察者には「平ら」又は二次元に見えること、又は（装置について）モノ像を生成すること。
【０００４】
「ステレオ（実体）」  （像について）奥行きを有し、又は三次元に見えること、又は（装置について）ステレオ像を生成すること。
【０００５】
単眼  片目だけで見ること。
【０００６】
双眼  両目で見ること。
【０００７】
図１は、典型的な単眼モノ複合顕微鏡の一例を示している（実寸ではなく、明りょうになるように長さを縮小している）。この顕微鏡は、開口ストップ１０２を有する対物レンズアセンブリ１０１（一般的には、複数の複合レンズからなる複合レンズ）を含んでいる。対物アセンブリ１０１は、無限遠にある物体１１１の像を生成するように構成されている。鏡筒レンズ１０３は、対物アセンブリ１０１からの光を集光して顕微鏡内で中間像１１２を生成する。接眼レンズ１０４は、中間像１１２を拡大し、より大きな虚像を生成する。この虚像は、開口ストップ１０２の縮小像である射出瞳１１３を通して見られる。
【０００８】
簡易な双眼実体顕微鏡は、図１の顕微鏡の２を実質的に横に並べて配置し、ステレオに必要な視差を提供するために互いに角度をつけて配置することによって提供することができる。しかしながら、対物アセンブリ１０１は嵩張るので、顕微鏡の作動距離（すなわち、対物アセンブリ１０１と物体１１１との間の距離）は、対物アセンブリ１０１を並べて配置するのに十分なスペースがあるように大きくなければならない。顕微鏡の分解能は、開口部及び被写界深度に反比例するので、このような構造を有する実体顕微鏡は、単眼モノ顕微鏡の有用な倍率を提供することができない。
【０００９】
図２は、双眼モノ顕微鏡、すなわち両眼で見ることができるモノ像を生成する顕微鏡を例示している。対物アセンブリ２０１、開口部２０２、及び鏡筒レンズ２０３は、単眼モノ顕微鏡のものと同等である。ビームスプリッター２２１が顕微鏡鏡筒内に設けられ、光を２つの経路に沿って分割している。各経路は、観察者に光を向け、各経路の長さが同じであることを保証するように配置された接眼レンズ２０４及びミラー２２２を含んでいる。別個の中間像２１２が各径路上で生成され、各径路は、観察者が像を見るために各瞳に眼を置くことができるように配置されたそれぞれの射出瞳２１４を有している。
【００１０】
双眼モノ顕微鏡の使用感は、写真を見るようなもので、観察者は両眼で見ることはできるが、視差がないので奥行きの情報がなく、像の特徴の高さを判断するのが難しいことがある。このように、双眼モノシステムはユーザーにとってはより快適かもしれませんが、ステレオシステムのような奥行きを知覚するという利点を再現しない。しかしながら、単一の対物レンズのみを使用するため、実体顕微鏡のように開口部や倍率が制限されることはない。
【発明の概要】
【００１１】
本発明の第１の様相によれば、開口部を含む対物アセンブリを有する顕微鏡で使用するためのアセンブリが提供される。アセンブリは、レンズ及びビームスプリッターを含んでいる。レンズ及びビームスプリッターは、２つの光路のそれぞれにそれぞれの開口部像を形成するように構成されている。アセンブリは、各光路上に、ストップ構造をさらに含んでいる。各ストップ構造は、それぞれの開口像の平面上に配置され、射出瞳を提供するためにそれぞれの開口像の一部を遮るようにし、顕微鏡を通して見た物体の立体像が各射出瞳を通して見える物体の像の組み合わせによって生成可能であるようにしている。アセンブリは、２つの画像センサー及び１つのデジタル画像プロセッサーをさらに含んでいる。各画像センサーは、それぞれの射出瞳を通して見える像をキャプチャし、デジタル画像を出力するように構成されている。デジタル画像プロセッサーは、各画像センサーによって出力されたそれぞれのデジタル画像に補正を適用するように構成され、補正は、それぞれのストップ構造の位置に基づいている。
【００１２】
本発明のさらなる様相によれば、開口部を有する対物アセンブリと、第１の様相に従うアセンブリとを含む実体顕微鏡が提供される。
【００１３】
本発明のさらなる様相によれば、顕微鏡を改造する方法が提供される。この方法は、顕微鏡の接眼レンズを取り外し、第１の様相に従うアセンブリを配置してレンズが接眼レンズの取り外された位置にあるようにすることを含んでいる。
【００１４】
さらなる実施形態は、請求項２等に示されている。
【図面の簡単な説明】
【００１５】
【図１】図１は、単眼モノ顕微鏡の概略説明図である。
【図２】図２は、双眼モノ顕微鏡の概略説明図である。
【図３Ａ】図３Ａは、分割開口部を有する実体顕微鏡の概略説明図である。
【図３Ｂ】図３Ｂは、図３の分割開口部の概略正面図である。
【図４Ａ】図４Ａは、図３の顕微鏡の対物アセンブリ及び開口部を通る光線の経路を示す。
【図４Ｂ】図４Ｂは、図３の顕微鏡の対物アセンブリ及び開口部を通る光線の経路を示す。
【図５】図５は、実体顕微鏡の概略図である。
【図６Ａ】図６Ａは、図５の顕微鏡におけるストップ構造の形状のいくつかの可能性を示す。
【図６Ｂ】図６Ｂは、図５の顕微鏡におけるストップ構造の形状のいくつかの可能性を示す。
【図６Ｃ】図６Ｃは、図５の顕微鏡におけるストップ構造の形状のいくつかの可能性を示す。
【図７Ａ】図７Ａは、図５の顕微鏡における異なるストップ構造の位置の効果を示す図である。
【図７Ｂ】図７Ｂは、図５の顕微鏡における異なるストップ構造の位置の効果を示す図である。
【図７Ｃ】図７Ｃは、図５の顕微鏡における異なるストップ構造の位置の効果を示す図である。
【図８】図８は、移動可能なストップ構造の概略図である。
【図９】図９は、立体視装置の概略説明図である。
【図１０】図１０は、顕微鏡システムの概略説明図である。
【発明を実施するための形態】
【００１６】
ステレオ像を提供するためには、顕微鏡は、異なる視点から（通常のステレオビジョンを模倣する角度で）各眼に像を提供しなければならない。これまでの設計では、これは、ユーザーの各眼にそれぞれ別々の像を提供する別個の対物アセンブリを提供することによって行われてきた。この結果、モノ顕微鏡と比較して、実体顕微鏡で可能な倍率は低下した。異なる視点を提供する別の手段が、図３Ａに示されている。対物アセンブリ３０１は、図３Ｂに図示されている開口ストップ３０２を含んでいる。開口ストップ３０２は、２つの別個の開口部３１１及び３１２に分割されている。各開口部３１１，３１２からの光は、その後、別個の光学系３０３を介して接眼レンズ（図示せず）に送られる。
【００１７】
図４Ａ及び図４Ｂは、それぞれ、開口部３１１及び３１２のそれぞれを通る光線の経路を示している。見られるように、各開口部の見え方は異なり、このことは、各開口部から得られる像は、ステレオ像として知覚されるように、視聴者の異なる眼に向けられることができることを意味している。
【００１８】
しかしながら、分割された開口部を提供することは、いくつかの課題を提起する。第一に、開口部自体が小さく、一般的に対物アセンブリ内に埋め込まれているため、そのような開口部を製造するために必要な製造は複雑である。第二に、開口部３１１及び３１２は、それぞれ単一の開口部１０２よりも小さい。この結果、顕微鏡の解像度は、単一の開口部によって達成され得るよりも低くなる（しかし、達成可能な解像度は、２つの対物レンズを有する実体顕微鏡の場合よりもまだ大きい）だけでなく、単一の開口部と比較して、像が暗くなり、像に歪みが生じる。また、単眼の場合に比べて射出瞳が小さくなるため、実用には不向きである（像を失うことを避けるためには、観察者は頭を極めて静止させなければならず、また、虹彩の開口部が完全に満たされていない場合には、眼の光学性能が低下する。）。
【００１９】
図５は、分割開口部を提供するように構成された顕微鏡の概略図である。この顕微鏡は、物体５３０の像を提供するように配置された、（単一の）開口部５０２を有する対物レンズアセンブリ５０１と、鏡筒レンズ５０３とを含んでいる。顕微鏡は、中間レンズ５０４と、ビームスプリッター５０５と、ミラー５０６とをさらに含んでいる。レンズ５０４、ビームスプリッター５０５及びミラー５０６は、共に２つの光路５２１ａ，５２１ｂのそれぞれにおいて、開口部５０２のそれぞれの像５１２ａ，５１２ｂ（以下、開口像と称する）を形成する。それぞれのストップ構造５０７ａ，５０７ｂは、各開口部像５１２ａ，５１２ｂの平面内に設けられ、各ストップ構造５０７ａ，５０７ｂがそれぞれの開口像の異なる部分を遮り、射出瞳５１３ａ，５１３ｂを画定するようにする。接眼レンズ５０８ａ，５０８ｂ及び画像センサー５０９ａ，５０９ｂは、射出瞳５１３ａ，５１３ｂのそれぞれを通して物体５２０の実像をキャプチャするように配置されている。実際には、接眼レンズ５０８ａ，５０８ｂを通して見られる、射出瞳５１３ａ，５１３ｂを越えた物体の実像５３１ａ，５３１ｂを生成するために、開口像を越えてさらなる光学系（図示せず）が必要とされるであろう。ストップ構造５０７ａ，５０７ｂは、画像センサー５０９ａ，５０９ｂによってキャプチャされたそれぞれの像が、それぞれのストップ構造の位置決めによって物体のステレオ像として立体視ビューワに表示されるように、すなわち、一方の画像センサーが左眼視を提供し、他方の画像センサーが右眼視を提供するように、位置決めされている。
【００２０】
開口部像５１２ａ，５１２ｂは、開口部自体よりも大きくなり、各ストップ構造は、見え方のうちの一方を提供するだけでよい。したがって、ストップ構造は、ステレオ像を提供するという同じ効果を有しながら、図４に示すような分割開口部よりもはるかに容易に製造することができる。
【００２１】
ストップ構造５０７ａ，５０７ｂは、任意の適切な形状であってもよい。いくつかの可能性が、図６Ａ〜図６Ｃに示されている。例えば、ストップ構造５０７ａ，５０７ｂは、射出瞳（６１）を画定する開口部を有していてもよいし、開口部像５１２ａ，５１２ｂの一方の側のみを平坦な（６２）又は湾曲した（６３）縁で遮る「カーテン」であってもよい。完全で純粋なステレオ像を提供するためには、ストップ構造５０７ａ，５０７ｂは、各眼の射出瞳が他の射出瞳内にない開口部の部分に対応するように配置されなければならない。射出瞳がわずかに重なっている場合（すなわち、それぞれが他の射出瞳内にある開口部の一部と、他の射出瞳内にない開口部の一部とを含む場合）には、それほど顕著でないステレオ効果が生じる。射出瞳が完全に重なっている場合は、結果として双眼モノ像となる。
【００２２】
図７Ａ、７Ｂ、及び７Ｃは、「カーテン」スタイルのストップ構造のための異なるストップ構造位置の効果を図示している。同じ原理は、他の形状のストップ構造にも適用される。各図の上部は、開口部像及びストップ構造を示し、中央部は、結果として得られた射出瞳（違いが分かるように重ね合わせて表示されている）を示し、下部は、（２次元媒体で表現できる範囲で）立体視の程度を示している。図７Ａに示すように、開口部像５１２ａ，５１２ｂを遮るストップ構造５０７ａ，５０７ｂが存在しない場合には、各眼の射出瞳５１３ａ，５１３ｂが正確に対応し、双眼モノ像７１が得られる。これは、射出瞳が正確に対応するように配置された対称的な開口部を含むストップ構造についても起こり得る。ぶ図７Ｃに示すように、各ストップ構造５０７ａ，５０７ｂが、射出瞳５１３ａ，５１３ｂが開口部の完全に別個の領域であるように、それぞれの開口部像５１２ａ，５１２ｂを遮っている場合、完全なステレオ像７３が得られる。図７Ｂに示すように、各ストップ構造５０７ａ，５０７ｂが、射出瞳５１３ａ，５１３ｂが開口部の重複領域であるが、他の射出瞳の一部に対応しない各射出瞳の一部が存在するように、各開口部像５１２ａ，５１２ｂの別個の部分を遮る場合には、より顕著でないステレオ像７２が生じる。
【００２３】
像の解像度は、開口部５０２及びストップ構造５０７ａ，５０７ｂ（すなわち、開口部５０２に配置された場合、射出瞳５１３ａ，５１３ｂを形成するであろう開口部）によって形成される有効開口部の寸法に依存し、解像度は、（正確な値は、有効開口部の形状に依存するが）有効開口部が小さいほど低くなる。このように、ストップ構造５０７ａ，５０７ｂの配置は、解像度とステレオ効果との間のバランスである。
【００２４】
生成されたステレオ像に対するストップ構造の他の影響は、像の表示に先立って補正することができる。図１０は、顕微鏡１００１の概略図である。顕微鏡１００１は、上述したように、ストップ構造１０１１及び画像センサー１０１２を含んでいる。さらに、顕微鏡は、画像センサー１０１２の出力１０２１とストップ構造制御部の出力１０２３を取り込み、ストップ構造１０１１の調整に起因する像の望ましくない変化を、ストップ構造１０１１の形状と位置１０２３に基づいて補正するように調整するデジタル画像プロセッサー１０１３を含んでいる。そして、デジタル画像プロセッサーは、補正された像を、顕微鏡からの出力１０２２として（例えば、立体視ディスプレイに）提供する。
【００２５】
例えば、像の強度は、ストップ構造１０１１の位置によって変化する。これは、開口部５００２の異なる量の面積が遮断されることによるものと、開口部５０２にわたる強度の変化によるものとの両方が生じる（図６Ａのような、常に同じ量の開口部面積を遮断するようなストップ構造であっても、強度の変化が生じることを意味する）。強度は、ストップ構造の位置及び形状の両方に依存する。
【００２６】
開口部５０２は、開口部上の各点が最終的な像の強度にどれだけ寄与するかを記述する関数である強度プロファイルを有することになる。ストップ構造から生じる強度の減少は、各ストップ構造によって形成された有効開口部にわたるこの強度プロファイルの積分と、開口部５０２全体にわたる強度プロファイルの積分とを比較することによって決定することができる。次いで、デジタル画像プロセッサーは、強度が異なるストップ構造の位置の間でユーザーにとって見かけ上一定であることを確保するために、各画像センサーの出力の明るさを調整してもよい。
【００２７】
また、強度のばらつきは、ストップ構造の形状に依存する。顕微鏡は、使用するストップ構造が選択される複数の異なる組のストップ構造を備えていてもよい。デジタル画像プロセッサーは、ストップ構造の各組ごとに、ストップ構造の位置と像の明るさ調整との間に異なる関係を適用するように構成されていることが好ましい。ストップ構造の組は、デジタル画像プロセッサーのソフトウェアにおいてユーザーによって識別されてもよいし、（例えば、顕微鏡上のセンサーとインターフェースするストップ構造に光学的又は電子的な識別体を提供することによって、又は他の適切な手段によって）ストップ構造が顕微鏡に設置されたときに自動識別が行われてもよい。顕微鏡が単一の種類のストップ構造のみで動作することを意図している場合、デジタル画像プロセッサーは、ストップ構造の位置と像の明るさとの間の単一の関係を必要とするだけである。
【００２８】
同様に、開口部５０２の異なる領域を遮ることは、（レンズ収差及び他の光学効果により）像の歪みに影響を与える。この歪みは、使用される変換のパラメータがストップ構造の形状及び位置に依存している状態で、デジタル画像プロセッサーによって補正されてもよい。
【００２９】
ストップ構造の位置（ストップ構造の複数の組が使用されてもよい場合には、形状も）と必要とされるデジタル画像処理との間の関係は、予め設定されていてもよく、例えば、デジタル画像プロセッサーにプログラムされたルックアップテーブルを使用してもよいし、既知のパラメータからその場で計算されてもよい。ルックアップテーブル又は所定の機能は、較正ステップを介して得られてもよく、例えば、ストップ構造の位置の範囲について強度、像の歪み、又は他の特性を測定し、このデータを使用して（適切な補間を用いて）ルックアップテーブルを計算してもよい。
【００３０】
ストップ構造は、ユーザーにモノ視からステレオ視への移行を可能にし、立体視の程度を制御できるように調整可能であってもよい。これを実現するための構成を図８に示す。各ストップ構造は、可動カーテン８０１を含み、これは、開口部像５１２ａ，５１２ｂの可変量を遮るように制御可能な方法で光路に導入することができる。他方の像のための光路は同等のシステムを有しており、カーテンは、それぞれがそれぞれの開口部像５１２ａ，５１２ｂの同じ割合を遮るように結合されている。可動カーテン８０１は、それぞれが開口像のいずれも遮らない位置（結果として双眼モノ像となる）から、射出瞳が開口部像５１２ａ，５１２ｂの非重なり部分（結果として純粋なステレオ像となる）になる位置まで調整可能である。可動カーテン８０１は、それぞれが、それぞれの開口部像５１２ａ，５１２ｂのそれぞれの像の反対側の等しいサイズの部分を遮断するために移動するように構成されている。
【００３１】
図８の構成は、観察者によって見られる像を中断することなく、顕微鏡のステレオモードと双眼モノモードとの間の連続的かつ漸進的な移行を可能にする。この装置を使用することで、ステレオ像からより高解像度のモノ像にスムーズに移行する際に、モノ像をこのような移行なしに見る場合には存在しない、モノ像の奥行き感をユーザーが体験するというが驚くべきことが発見された。これは、上記のシステムが、立体像の利点の多くを維持しつつ、モノ像の高解像度化を実現することを意味している。
【００３２】
上記の説明から、対物アセンブリ５０１からレンズ５０４を含まないがそれまでの単対物実体顕微鏡の構造は、対物アセンブリ１０１から接眼レンズ１０４を含まないがそれまでの従来のモノ顕微鏡の構造と同じであることが銘記されるであろう。多くの市販の顕微鏡のヘッド及び接眼アセンブリは取り外し可能であり、したがって、既存のモノ顕微鏡（双眼であるか単眼であるかを問わない）をレンズ５０４、ビームスプリッター５０５、ミラー５０６、及びストップ構造５０７ａ，５０７ｂを含むシステムを有するように改造することが可能であり、このシステムは、レンズ５０４が顕微鏡の光路内にあるように、すなわち、物体からの光が顕微鏡を通過する光路内にあるように、モノ顕微鏡のヘッド及び接眼アセンブリの代わりに取り付けるように構成される。元のモノ顕微鏡は、接眼レンズを使用して、視野曲率、色収差などの光学的補正を適用してもしなくてもよい−これらの補正が適用される顕微鏡に改造するためのシステムでは、レンズ５０４及び／又は接眼レンズ５０８ａ，５０８ｂは、同等の補正を適用するように構成されもよい。
【００３３】
画像センサーは、ＣＣＤ又は他の画像センサーであってもよい。画像センサーを使用することのさらなる利点は、射出瞳が、それを見るために、観察者の左右の眼に正確に整列するように配置される必要がないことであり、これにより、顕微鏡の構造を簡略化することが可能になる。
【００３４】
立体視ディスプレイの一例としては、英国特許第２５２４６０９号明細書に記載されているものがあり、図９に示されている。このディスプレイは、左眼と右眼の像をそれぞれ表示する２つのプロジェクタ２０ａ，２０ｂを含んでいる。各プロジェクタは、ディスプレイ２１と、ミラー３５上に左眼像及び右眼像のそれぞれの焦点を合わせた像を提供するための（１つ以上のレンズ２９及び／又はミラー３１を含む）光学配置２５とを含んでいる。ミラー３５は、プロジェクタの射出瞳を、観察者が見るためのビュー平面（ＶＰ）に反射させ、ビューイングレンズ３７を介してもよい。ミラー３５及びビューイングレンズ３７以外の光学部品は、クリーンな眺めを提供するために、観察者の直接の視線の外に配置されてもよい。
【００３５】
立体視ディスプレイの他の例としては、「バーチャルリアリティ」ヘッドセット、アクティブメガネ（すなわち、テレビのリフレッシュレートに同期し、交互フレームのために各眼を遮断するメガネ）を備えた３Ｄディスプレイ、及びパッシブメガネを備えた３Ｄディスプレイ（例えば、左眼像及び右眼像のそれぞれを異なる偏光として表示し、各眼に対応する偏光フィルタを備えたメガネとともに使用される）が挙げられる。
【００３６】
ユーザーに射出瞳を通して直接顕微鏡を観察させるよりも、立体ディスプレイに結合された画像センサーを使用することの利点は、観察者が利用可能な射出瞳のサイズが顕微鏡光学系によって制限されず、ストップ構造５０７ａ，５０７ｂによって制限されないことである。より大きな射出瞳は、より快適な観察体験を与える。これは、射出瞳が小さい場合、ユーザーはステレオ像を見るために頭を特定の位置に維持しなければならないという事実によるものである。射出瞳が一定の大きさよりも小さい場合、例えばストップ構造を使用する場合のように、射出瞳が眼の瞳孔よりも小さいと人間の眼がうまく機能しないため、ユーザーは像を全く見ることが困難になるかもしれない。実際、ほとんどの既存の顕微鏡で使用されているような光学系では、射出瞳は、ユーザーの眼の入射瞳よりもすでに小さく、これは、解像度を制限し、眼内のあらゆる不均一性（例えば、浮遊物）がユーザーの視覚に著しく大きな影響を及ぼす原因となる。
【００３７】
上記開示は、例示に過ぎず、開示の原理を保持しながら変更が可能であることが理解されるであろう。また、特定の特徴は、別段の記載がない限り、互いに依存しないことが理解されるであろう。
【図１】
2020537176.tif 000003
【図２】
2020537176.tif 000004
【図３Ａ】
2020537176.tif 000005
【図３Ｂ】
2020537176.tif 000006
【図４Ａ】
2020537176.tif 000007
【図４Ｂ】
2020537176.tif 000008
【図５】
2020537176.tif 000009
【図６Ａ】
2020537176.tif 000010
【図６Ｂ】
2020537176.tif 000011
【図６Ｃ】
2020537176.tif 000012
【図７Ａ】
2020537176.tif 000013
【図７Ｂ】
2020537176.tif 000014
【図７Ｃ】
2020537176.tif 000015
【図８】
2020537176.tif 000016
【図９】
2020537176.tif 000017
【図１０】
2020537176.tif 000018
【手続補正書】
【提出日】令和2年6月9日(2020.6.9)
【手続補正１】
【補正対象書類名】特許請求の範囲
【補正対象項目名】請求項１
【補正方法】変更
【補正の内容】
【請求項１】
開口部を含む対物アセンブリを有する顕微鏡で使用するためのアセンブリであって、前記アセンブリはレンズ（５０４）及びビームスプリッター（５０５）を含み、
前記レンズ（５０４）及び前記ビームスプリッター（５０５）は、２つの光路のそれぞれにそれぞれの開口部像（５１２ａ，５１２ｂ）を形成するように構成され、
前記アセンブリは、各光路上に、ストップ構造（５０７ａ，５０７ｂ）を構成するようにさらに構成され、
前記アセンブリが前記開口部に対して位置決めされ、各開口部像（５１２ａ，５１２ｂ）がそれぞれのストップ構造（５０７ａ，５０７ｂ）の面内に位置するようにされたとき、各ストップ構造（５０７ａ，５０７ｂ）は、射出瞳（５１３ａ５１３ｂ）を提供するために前記それぞれの開口部像（５１２ａ，５１２ｂ）の一部を遮断し、前記顕微鏡を通して見た物体の立体像が、各射出瞳（５１３ａ，５１３ｂ）を通して見える前記物体の像の組み合わせによって生成可能であるようにし、
前記アセンブリは、
２つの画像センサーであって、各画像センサーは、それぞれの射出瞳を通して見える像をキャプチャし、デジタル画像を出力するように構成されたものと、
前記ストップ構造の位置に関する歪みを補償するように各画像センサーによって出力されたそれぞれのデジタル画像に補正を適用するように構成されたデジタル画像プロセッサーであって、前記補正はそれぞれのストップ構造の位置に基づくものと
をさらに含むアセンブリ。
【国際調査報告】
2020537176.tif 000019
2020537176.tif 000020
2020537176.tif 000021